(57)【要約】【課題】適切な露出制御が可能な露出制御装置及びカメラを提供する。【解決手段】本発明の露出制御装置２００は、撮像部１１２と、前記撮像部１１２の画素領域を、それぞれが複数の画素を含む複数の分割領域に分割し、前記分割領域ごとの出力値である分割出力値を演算し、前記分割出力値のうちの分割最大出力値を、露出演算に用いる露出演算部１０５と、を備えること、を特徴とする。【選択図】図３
2015219286.tif 000002
【特許請求の範囲】
【請求項１】
撮像部と、
前記撮像部の画素領域を、それぞれが複数の画素を含む複数の分割領域に分割し、前記分割領域ごとの出力値である分割出力値を演算し、前記分割出力値のうちの分割最大出力値を露出演算に用いる露出演算部と、
を備える露出制御装置。
【請求項２】
請求項１に記載の露出制御装置であって、
前記撮像部は、ＲＧＢ画素配列のカラーフィルタを備え、
前記露出演算部は、前記分割出力値を、Ｒ画素、Ｇ画素、Ｂ画素ごとに演算すること、
を特徴とする露出制御装置。
【請求項３】
請求項１に記載の露出制御装置であって、
前記撮像部の画素は単色の画素であり、
前記露出演算部は、前記分割出力値を、前記単色の画素により演算すること、
を特徴とする露出制御装置。
【請求項４】
請求項１から３のいずれか１項に記載の露出制御装置であって、
前記露出演算部は、前記分割最大出力値を減少させるオフセットを行い、前記オフセット後の前記分割最大出力値を露出演算に用いること、
を特徴とする露出制御装置。
【請求項５】
請求項１から４のいずれか１項に記載の露出制御装置であって、
前記露出演算部は、前記分割領域よりも小さい領域の出力値である小領域出力値のうちの小領域最大出力値を求め、前記小領域最大出力値と、前記分割最大出力値との差が大きいほど、前記小領域最大出力値の重みを小さくして演算した重み演算後の出力値を露出演算に用いること、
を特徴とする露出制御装置。
【請求項６】
請求項５に記載の露出制御装置であって、
前記露出演算部は、前記分割領域よりも大きい領域の平均出力値と、前記重み演算後の出力値とのうちの最も大きい出力値を露出演算に用いること、
を特徴とする露出制御装置。
【請求項７】
画面内に備えられた第１領域について第１出力値を出力し、前記第１領域とは異なる第２領域について第２出力値を出力する出力部と、
前記第１出力値及び前記第２出力値のうち、最も大きいものを用いて露出制御をする露出制御部と、を備える露出制御装置。
【請求項８】
請求項７に記載の露出制御装置であって、
前記出力部は、前記第１領域及び前記第２領域とは異なる第３領域について第３出力値を出力し、
前記選択部は、前記第１出力値、前記第２出力値及び前記第３出力値のうち、最も大きいものを用いて露出制御をすること、
を特徴とする露出制御装置。
【請求項９】
請求項７又は請求項８に記載の露出制御装置であって、
撮影者の操作に基づいて、第１露出モード及び第２露出モードの少なくとも一方を選択する選択部とを含み、
前記露出制御部は、前記選択部により前記第１露出モードが選択されたとき、前記第１出力値及び前記第２出力値のうち、最も大きいものを用いて露出制御を行い、
前記選択部により前記第２露出モードが選択されたとき、前記第１出力値及び前記第２出力値のうち、最も大きいものを用いて露出制御を行わないこと、
を特徴とする露出制御装置。
【請求項１０】
請求項９に記載の露出制御装置であって、
前記露出制御部は、前記選択部により前記第２露出モードが選択されたとき、明るい領域と暗い領域とのバランスをとった露出制御、画面の中央の明るさが適正露出になる露出制御、ピントをあわせた領域が適正露出になる露出制御、及び、ピントをあわせた人物の顔が適正露出になる露出制御のうち少なくとも１つを行うこと、
を特徴とする露出制御装置。
【請求項１１】
撮影画面全体を格子状に分割して複数の分割領域を生成する領域生成部と、
前記複数の分割領域のそれぞれについて複数の出力値を出力する出力部と、
前記複数の出力値のうち、最も大きいものを用いて露出制御をする露出制御部と、を備える露出制御装置。
【請求項１２】
画面内に備えられた第１領域について第１出力値を出力し、前記第１領域とは異なる第２領域について第２出力値を出力する出力部と、
前記第１出力値及び前記第２出力値のうち、最も小さいものを用いて露出制御をする露出制御部と、を備える露出制御装置。
【請求項１３】
請求項１から１２のいずれか１項に記載の露出制御装置を備えるカメラ。
【発明の詳細な説明】
【技術分野】
【０００１】
本発明は、露出制御装置及びカメラに関するものである。
【背景技術】
【０００２】
従来、カメラの露出制御において、マルチパターン測光等が進化し、スポットライトなどの特殊なシーンを除き、概ね失敗のない露出を提供することが可能となっている。
しかし、従来の自動露出では、背景が黒く、強い順光シーンでは顔が白飛びするというような問題があった。これを解決するために、ユーザーが合わせたＡＦ(オートフォーカス)エリアの輝度を参照し、露出を決めているものがある（特許文献１）。
また、ＡＦエリアに関係なく、画面内の最大輝度の場所を採用し、露出を決める、ピークＡＧＣ(ピーク オートゲインコントロール)等の方法もある。
【先行技術文献】
【特許文献】
【０００３】
【特許文献１】特開２０００−７５３５２号公報
【発明の概要】
【発明が解決しようとする課題】
【０００４】
しかし、ＡＦエリアの輝度を参照する発明では、白飛びは防げるものの、被写体の大きさに応じた露出制御が出来ず、常に一定の明るさとなってしまう。またピークＡＧＣを用いた露出制御では、画面内に強く反射する光があった場合に、急にアンダー露出となってしまう。
【０００５】
本発明の課題は、適切な露出制御が可能な露出制御装置及びカメラを提供することである。
【課題を解決するための手段】
【０００６】
本発明は、以下のような解決手段により前記課題を解決する。
請求項１記載の発明は、撮像部と、前記撮像部の画素領域を、それぞれが複数の画素を含む複数の分割領域に分割し、前記分割領域ごとの出力値である分割出力値を演算し、前記分割出力値のうちの分割最大出力値を露出演算に用いる露出演算部と、を備える露出制御装置である。
請求項２記載の発明は、請求項１に記載の露出制御装置であって、前記撮像部は、ＲＧＢ画素配列のカラーフィルタを備え、前記露出演算部は、前記分割出力値を、Ｒ画素、Ｇ画素、Ｂ画素ごとに演算すること、を特徴とする露出制御装置である。
請求項３記載の発明は、請求項１に記載の露出制御装置であって、前記撮像部の画素は単色の画素であり、前記露出演算部は、前記分割出力値を、前記単色の画素により演算すること、を特徴とする露出制御装置である。
請求項４記載の発明は、請求項１から３のいずれか１項に記載の露出制御装置であって、前記露出演算部は、前記分割最大出力値を減少させるオフセットを行い、前記オフセット後の前記分割最大出力値を露出演算に用いること、を特徴とする露出制御装置である。
請求項５記載の発明は、請求項１から４のいずれか１項に記載の露出制御装置であって、前記露出演算部は、前記分割領域よりも小さい領域の出力値である小領域出力値のうちの小領域最大出力値を求め、前記小領域最大出力値と、前記分割最大出力値との差が大きいほど、前記小領域最大出力値の重みを小さくして演算した重み演算後の出力値を露出演算に用いること、を特徴とする露出制御装置である。
請求項６記載の発明は、請求項５に記載の露出制御装置であって、前記露出演算部は、前記分割領域よりも大きい領域の平均出力値と、前記重み演算後の出力値とのうちの最も大きい出力値を露出演算に用いること、を特徴とする露出制御装置である。
請求項７記載の発明は、画面内に備えられた第１領域について第１出力値を出力し、前記第１領域とは異なる第２領域について第２出力値を出力する出力部と、前記第１出力値及び前記第２出力値のうち、最も大きいものを用いて露出制御をする露出制御部と、を備える露出制御装置である。
請求項８記載の発明は、請求項７に記載の露出制御装置であって、前記出力部は、前記第１領域及び前記第２領域とは異なる第３領域について第３出力値を出力し、前記選択部は、前記第１出力値、前記第２出力値及び前記第３出力値のうち、最も大きいものを用いて露出制御をすること、を特徴とする露出制御装置である。
請求項９記載の発明は、請求項７又は請求項８に記載の露出制御装置であって、撮影者の操作に基づいて、第１露出モード及び第２露出モードの少なくとも一方を選択する選択部とを含み、前記露出制御部は、前記選択部により前記第１露出モードが選択されたとき、前記第１出力値及び前記第２出力値のうち、最も大きいものを用いて露出制御を行い、前記選択部により前記第２露出モードが選択されたとき、前記第１出力値及び前記第２出力値のうち、最も大きいものを用いて露出制御を行わないこと、を特徴とする露出制御装置である。
請求項１０記載の発明は、請求項９に記載の露出制御装置であって、前記露出制御部は、前記選択部により前記第２露出モードが選択されたとき、明るい領域と暗い領域とのバランスをとった露出制御、画面の中央の明るさが適正露出になる露出制御、ピントをあわせた領域が適正露出になる露出制御、及び、ピントをあわせた人物の顔が適正露出になる露出制御のうち少なくとも１つを行うこと、を特徴とする露出制御装置である。
請求項１１記載の発明は、撮影画面全体を格子状に分割して複数の分割領域を生成する領域生成部と、前記複数の分割領域のそれぞれについて複数の出力値を出力する出力部と、前記複数の出力値のうち、最も大きいものを用いて露出制御をする露出制御部と、を備える露出制御装置である。
請求項１２記載の発明は、画面内に備えられた第１領域について第１出力値を出力し、前記第１領域とは異なる第２領域について第２出力値を出力する出力部と、前記第１出力値及び前記第２出力値のうち、最も小さいものを用いて露出制御をする露出制御部と、を備える露出制御装置である。
請求項１３記載の発明は、請求項１から１２のいずれか１項に記載の露出制御装置を備えるカメラである。
なお、上記構成は、適宜改良してもよく、また、少なくとも一部を他の構成物に代替してもよい。
【発明の効果】
【０００７】
本発明によれば、適切な露出制御が可能な露出制御装置及びカメラを提供することができる。
【図面の簡単な説明】
【０００８】
【図１】本実施形態の露出制御装置を備えた一眼レフタイプのカメラの構成を示すブロック図である。
【図２】制御部の動作を示す全体的なフロー図である。
【図３】ハイライト重点測光を説明するフローチャートである。
【図４】分割領域を説明する図である。
【図５】重み係数を説明する図である。
【図６】被写体が大きい時の分割最大輝度値の領域を図示した例である。
【図７】被写体が大きい時の個々の領域の最大輝度値の領域を図示した例である。
【図８】被写体が小さい時の分割最大輝度値の領域を図示した例である。
【図９】被写体が小さい時の個々の領域の最大輝度値の領域を図示した例である。
【図１０】第２実施形態における図３に相当するフローチャートである。
【発明を実施するための形態】
【０００９】
（第１実施形態）
図１は、本実施形態の露出制御装置２００を備えた一眼レフタイプのカメラ１００の構成を示すブロック図である。カメラ１００は、操作部１０１と、レンズ１０２と、表示部１０３と、第１撮像部１０４と、制御部１０５と、メモリカードスロット１０６と、モニタ１０７と、プリズム１０８と、接眼部１０９と、ミラー１１０と、シャッタ１１１、第２撮像部１１２と、測光レンズ１１３とを備えている。
【００１０】
操作部１０１は、使用者によって操作される入力部材、たとえば電源スイッチ、レリーズボタン、ズームボタン、十字キー、決定ボタン、再生ボタン、削除ボタンなどを含んでいる。ここでＨＤＲを行うか否かの選択や、その適応量の選択などが出来る。また、操作部１０１を操作することにより使用者は、測光モードを選択できる。具体的には、例えば、後述するハイライト重点測光モード、マルチパターン測光モード、中央部重点測光モード、スポット測光モードのうち少なくとも１つを選択することができる。例えば、マルチパターン測光モードとは、明るい部分と暗い部分のバランスをとった露出制御を行うモードであり、中央部重点測光モードとは、画面の中央の明るさが適正露出となる露出制御を行うモードであり、スポット測光モードとは、ピントをあわせた人物の顔や、ピントをあわせた領域が適正露出になる露出制御を行うモードである。
【００１１】
レンズ１０２は、複数の光学レンズから構成されるが、図１では代表して１枚のレンズで表している。なお、本実施形態においてレンズ１０２はカメラ１００に対して着脱可能であるが、これに限定されるものではない。
【００１２】
表示部１０３は、例えば高分子分散型液晶で、この表示はレンズ１０２を通り、ミラー１１０によって導かれた光に重ね合わせられる。この表示が重畳された光は、プリズム１０８を通り、接眼部１０９と第２撮像部１１２に導かれる。
【００１３】
第２撮像部１１２は例えばＣＭＯＳやＣＣＤなどの複数画素からなり、ＲＧＢ画素配列のカラーフィルタ（例えばベイヤー配列のカラーフィルタ）を備えた、カラーイメージセンサである。第２撮像部１１２により撮像された画像は制御部１０５へと送られ、この画像を元に、制御部１０５は公知のシーン認識を行い（例えば顔検出など）、それに基づき自動露出を行い、露出を決定する。第２撮像部１１２及び制御部１０５とにより、本実施形態の露出制御装置２００を構成する。
【００１４】
第１撮像部１０４は、例えばＣＭＯＳやＣＣＤなどのイメージセンサであり、撮像時にはミラー１１０が上がり、シャッタ１１１が開いて、レンズ１０２によって結像した被写体像が、制御部１０５により決定された露出で撮像される。そして撮像により得られた画像信号を制御部１０５へ出力する。
【００１５】
制御部１０５は、第１撮像部１０４から入力された画像信号に基づいて所定の画像形式、たとえばＪＰＥＧ形式の画像データ（以下、本画像データ）を生成する。
また、制御部１０５は生成した画像データに基づいて、表示用画像データ、たとえばサムネイル画像データを作成する。
制御部１０５は、生成した本画像データとサムネイル画像データとを含み、さらにヘッダ情報を付加した画像ファイルを生成してメモリカードスロット１０６へ出力する。
【００１６】
本実施形態では、本画像データとサムネイル画像データとは、いずれも例えばＲＧＢ表色系で表された画像データであるものとする。
【００１７】
メモリカードスロット１０６は、記憶媒体としてのメモリカードを挿入するためのスロットであり、制御部１０５から出力された画像ファイルをメモリカードに書き込んで記録する。
また、メモリカードスロット１０６は、制御部１０５からの指示に基づいて、メモリカード内に記憶されている画像ファイルを読み込む。
【００１８】
モニタ１０７は、カメラ１００の背面などに搭載された液晶モニタであり、当該モニタ１０７には、メモリカードに記憶されている画像やカメラ１００を設定するための設定メニューなどが表示される。
【００１９】
制御部１０５は、ＣＰＵ、メモリ、およびその他の周辺回路により構成され、カメラ１００を制御する。
なお、制御部１０５を構成するメモリには、ＳＤＲＡＭやフラッシュメモリが含まれる。ＳＤＲＡＭは揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御部１０５が実行するプログラムのデータや、プログラム実行時に読み込まれる種々のパラメータなどが記録されている。
【００２０】
図２は、制御部１０５の動作を示す全体的なフロー図である。
ステップＳ０００では、後述のハイライト重点測光を行うか否かのメニューの判定を行う。
操作部１０１を操作することによりメニューにて、ハイライト重点測光モードが選択されている場合ハイライト重点測光がＯＮとなり、マルチパターン測光モード、中央部重点測光モード及びスポット測光モードのうち少なくとも１つが選択されている場合、ハイライト重点測光がＯＦＦになる。ハイライト重点測光がＯＮであればステップＳ００１へ、ＯＦＦであればステップＳ００２へ進む。
【００２１】
ステップＳ００１ではハイライト重点測光を実施する。
図３はハイライト重点測光を説明するフローチャートである。
【００２２】
（個々の画素における最大輝度値を求める）
まず、ステップＳ１０１では第２撮像部１１２を露光した結果のセンサ出力にもとづいて、個々の画素における最大のＲＧＢ輝度を算出する。
ここで、センサのＲ(赤)，Ｇ(緑)，Ｂ(青)の出力は公知のオートホワイトバランスのゲインを適用済のＲＧＢが好ましい。ただし、これに限定されず、例えば晴天に固定したホワイトバランスを加えたものでもよく、ゲインを加えないものであってもよい。
【００２３】
最大出力・輝度値の算出は下記の式によって行う。
【数１】
2015219286.tif 000003
【００２４】
ここで、R(i,j)は座標(i,j)の第２撮像部のＲ出力である。同様に、G(i,j)は座標(i,j)の第２撮像部のＧ出力、B(i,j)は座標(i,j)の第２撮像部のＢ出力である。
Max()は最大を見つける関数であり、ｉ，ｊに関して走査していき、最大の出力Max_R，Max_G，Max_Bを見つける。
BvOffsetは評価値をＢＶ値に変換する際の係数である。
【００２５】
（分割領域の最大輝度値を求める）
ステップＳ１０２では、分割輝度値を算出する。分割輝度値とは、図４の太線で書かれている８×５の領域それぞれの輝度値である。この分割輝度値の計算は下記のように行う。
【００２６】
【数２】
2015219286.tif 000004
【００２７】
ここで、Ｍは太枠線内の総画素数、ｘは１〜４０までの添字である。各領域の分割輝度値がRBV40[x]，GBV40[x]，BBV40[x]となる。
【００２８】
ステップＳ１０３では、分割輝度値から最大のものを算出する。
【数３】
2015219286.tif 000005
この輝度値Max_RBV40,Max_GBV40,Max_BBV40を以後、分割最大輝度値と呼ぶ。
【００２９】
(重み係数の算出)
ステップＳ１０４では、個々の領域の最大輝度値Max_RBV，Max_GBV，Max_BBVと、分割最大輝度値Max_RBV40，Max_GBV40，Max_BBV40と、を比較し、ハイライト輝度値を算出するための重み係数kHilight_R，kHilight_G，kHilight_Bを算出する。
【００３０】
重み係数は図５に基づいて決定する。すなわち、
【数４】
2015219286.tif 000006
Ｇ，Ｂについても全く同様に演算を行う。
【００３１】
例えば、Ｒの重み係数kHilight_Rの決定方法を図５に示す。１画素単位の最大輝度値と、分割領域単位の分割最大輝度値の差（Max_RBV-Max_RBV40）が大きいということは、ハイライトの面積が小さいということを表している。また、その輝度差が小さいということは、ハイライトの面積が大きいということを表す。
ここでは、その輝度差が第１閾値thkHilight1_Rより小さいとき、Ｒの重み係数kHilight_Rは１にする。
【００３２】
その輝度差が第２閾値thkHilight2_Rより大きい時は、Ｒの重み係数kHilight_Rを０とし、輝度差が第１閾値thkHilight1_Rと第２閾値thkHilight2_Rとの間の場合、線形補間を行う。
【００３３】
具体例を図６〜図９に示す。
（例１)図６は被写体が大きい時のMax_RBV40の領域を図示している。
また、同じ倍率のときのMax_RBVは図７のように検出される。このとき、検出するエリアがどちらも被写体にかかるため、その輝度差は少ない。
【００３４】
(例２)図８はMax_RBV40の検出の様子だが、前例よりも倍率が小さくなった場合である。図９は同様の倍率でMax_RBVを検出しているとする。このとき、Max_RBV40検出エリアが背景に影響され、例えば被写体が最も明るい場合にMax_RBV40が小さくなる。
【００３５】
しかし、倍率が小さい場合は、多少の白飛びを許容するため、この背景の影響を許容する。そのための係数がkHilight_Rである。
【００３６】
ステップＳ１０５では、Ｓ１０４で求めた係数を用いて、最大輝度値と分割最大輝度値を加重平均し、ハイライト輝度値 HilightBV_R, HilightBV_G, HilightBV_Bを算出する。
【００３７】
また、ハイライト輝度をそのまま制御値に用いると、アンダーな写真となってしまうため、それぞれ最適化したオフセット量を持たせる。オフセット量の計算式を下に示す。
【００３８】
【数５】
2015219286.tif 000007
【００３９】
このようにオフセットを用いて適切な値に設定してやることにより、小さいハイライトの色飽和を許容し、大きなハイライトでは色飽和を起こさないことが可能となる。
【００４０】
ステップＳ１０６では、画面全体の平均輝度値を計算する。
【数６】
2015219286.tif 000008
これは、平均輝度値がハイライト輝度値よりも大きくならないようにするための演算である。Ｎは総画素数であり、例えば図４のような４０×２５画素を持つ第２撮像部であれば、１０００となる。ＬはＲＧＢから合成した輝度値である。なお、平均輝度値は画面全体が好ましいが、これに限定されるわけではなく、分割領域よりも大きければよい。
【００４１】
Ｓ１０７では、Ｓ１０５で求めたＲＧＢのハイライト輝度値、Ｓ１０６で求めた平均輝度値を比べ、輝度値の高いものを選択する。
【数７】
2015219286.tif 000009
【００４２】
ここで図２に戻り、ステップＳ００２では公知の自動露出を行い、露出制御用輝度値CtrlBVを算出する。
【００４３】
ステップＳ００３ではレリーズ動作の有無を検出し、動作に入ればＳ００４へ、動作がなければＳ００４を飛ばし、Ｓ００５へ進む。
【００４４】
ステップＳ００４では通常の撮影動作を実施し、撮像動作を行う。
ステップＳ００５では電源のＯＮ／ＯＦＦを検出し、電源ＯＦＦであれば撮影終了となる。
電源ＯＮ状態であれば、ステップＳ０００へ戻り、ＡＥ動作が繰り返される。
【００４５】
以上、本実施形態によると、以下の効果を有する。
ＲＧＢのうちの色出力が高い部分を、常に画像における一定レベルにすることが可能となり、また、画面内の被写体の余分なハイライトを除外することができるので、白飛び・色飽和することなく撮像可能となる。
たとえば、本実施形態の測光は主に舞台などで有効と考えられる。舞台では派手な赤色・青色などの照明が多いが、本実施形態では色飽和を起こさないような露出が可能となる。
被写体が小さい場合は若干の白飛びを許容し、被写体が大きい場合には白飛びをさせない露出制御装置を提供することができ、被写体の大きさに応じて適切な露出制御を実現することができる。
複数の大きさの領域で色の最大値を検出し、その比較を行うことで、小領域の色飽和・白飛びは許容しつつも、巨視的には色飽和しない、白飛びしない制御を行うことができる。
異なる領域で色の最大出力を検出し、それをベースに露出を決めることで、小領域の色飽和を許容しつつ、適切な露出を得ることが可能となる。
【００４６】
（第２実施形態）
次に、本発明の第２実施形態について説明する。第２実施形態が第１実施形態と異なる点は、図１における第２撮像部１１２が、カラーイメージセンサではなく、モノクロのイメージセンサであっても良い点である。また、図２のフローチャートも第１実施形態と同様であるが、図３のフローチャートが異なり、第２実施形態における図３に相当するフローチャートを図１０に示す。
【００４７】
図１０は第２実施形態のハイライト重点測光を説明するフローチャートである。
（個々の画素における最大輝度値を求める）
ステップS２０１では第２撮像部１１２を露光した結果のセンサ出力にもとづいて、最大輝度値を算出する。
最大出力・輝度値の算出は一般的な下記の式によって行う。
【数８】
2015219286.tif 000010
ここでL(i,j)は座標(i,j)の第２撮像部の出力である。
Max()は最大を見つける関数であり、i,jに関して走査していき、最大の出力Max_Lを見つける。
BvOffsetは評価値をＢＶ値に変換する際の係数である。
【００４８】
（分割領域の最大輝度値を求める）
ステップS２０２では、分割輝度値を算出する。分割輝度値とは、第1実施形態と同様に図４の太線で書かれている８×５の領域である。この分割輝度値の計算は下記のように行う。
【００４９】
【数９】
2015219286.tif 000011
【００５０】
ここで、Ｍは太枠線内の総画素数、ｘは１〜４０までの添字である。各領域の分割輝度値がBV[x]となる。
【００５１】
ステップＳ２０３では、分割輝度値から最大のものを算出する。
【数１０】
2015219286.tif 000012
この輝度値Max_BV40を以後、分割最大輝度値と呼ぶ。
【００５２】
(重み係数の算出)
ステップＳ２０４では、最大輝度値Max_BVと分割最大輝度値Max_BV40とを比較し、ハイライト輝度値を算出するための重み係数kHilightを算出する。
【００５３】
重み係数は第1実施形態の図５と同様に決定する。すなわち、
【数１１】
2015219286.tif 000013
【００５４】
本実施形態においても、第１実施形態の図６〜図９で説明した具体例と同様である。
（例１)図６は被写体が大きい時のMax_BV40の領域を図示している。
また、同じ倍率のときのMax_BVは図７のように検出される。このとき、検出するエリアがどちらも被写体にかかるため、その輝度差は少ない。
【００５５】
(例２)図８はMax_BV40の検出の様子だが、前例よりも倍率が小さくなった場合である。図９は同様の倍率でMax_BVを検出しているとする。このとき、Max_BV40検出エリアが背景に影響され、例えば被写体が最も明るい場合にMax_BV40が小さくなる。
【００５６】
しかし、倍率が小さい場合は、多少の白飛びを許容するため、この背景の影響を良しとする。そのための係数がkHilightである。
【００５７】
ステップＳ２０５では、Ｓ２０４で求めた係数を用いて、最大輝度値と分割最大輝度値を加重平均し、ハイライト輝度値HilightBVを算出する。
【００５８】
また、ハイライト輝度をそのまま制御値に用いると、アンダーな写真となってしまうため、それぞれ最適化したオフセット量を持たせる。オフセット量の計算式を下に示す。
【００５９】
【数１２】
2015219286.tif 000014
【００６０】
適切な値に設定してやることにより、小さいハイライトの白飛びを許容し、大きなハイライトでは白飛びを起こさないことが可能となる。
【００６１】
ステップＳ２０６では、画面全体の平均輝度値を計算する。
【数１３】
2015219286.tif 000015
Ｎは総画素数であり、例えば図４のような４０×２５画素を持つ第２撮像部であれば、１０００となる。
【００６２】
Ｓ２０７では、Ｓ２０５で求めたハイライト輝度値、Ｓ２０６で求めた平均輝度値と画面全体の平均輝度値を比べ、輝度値の高いものを選択する。
【数１４】
2015219286.tif 000016
【００６３】
この後、第1実施形態と同様に図２に戻る。
以上、本実施形態においては、明るい部分を常に画像のある一定レベルにすることが可能となり、画面内の被写体が余分なハイライトを除外することができるので、白飛びすることなく撮像可能となる。
【００６４】
（変形形態）
以上、説明した実施形態に限定されることなく、以下に示すような種々の変形や変更が可能であり、それらも本発明の範囲内である。
【００６５】
（１）本実施形態ではハイライト重点測光を用いる形態について説明したが、これに限定されず、マルチパターン測光を演算し、ハイライト重点測光と比較して暗く写る方を採用しても良い。
（２）上述した実施形態では、分割輝度値から最大のものを算出（図３のステップＳ１０３ご参照）する例を用いて説明したがこれに限定されるものではない。例えば、分割輝度値から最小のものを算出（分割最小輝度値）し、分割最小輝度値を用いて露出制御を行ってもよい。すなわち、画面内に備えられた第１領域について第１出力値を出力し、前記第１領域とは異なる第２領域について第２出力値を出力する出力部と、前記第１出力値及び前記第２出力値のうち、最も小さいものを用いて露出制御をする露出制御部とを備える構成としてもよい。
【００６６】
（２）また、本実施形態では、測光センサを有するカメラで説明したが、これに限定されず、測光センサを有さないものであってもよい。さらに、一眼レフのレンズ交換式カメラに限定されず、レンズとカメラとが一体型の、いわゆるコンパクトカメラ、携帯電話、スマートフォン等であってもよい。
【００６７】
（３）第1実施形態では、ＲＧＢについて説明したが、これに限定されず、ＲＧＢ以外の他色のフィルタを用いたセンサ、たとえばＲＧＢＹ(イエロー)、ＲＧＢＷ（ホワイト）、ＲＧＢＣ（シアン）といったフィルタを用いたセンサであってもよい。
なお、実施形態及び変形形態は、適宜組み合わせて用いることもできるが、詳細な説明は省略する。また、本発明は以上説明した実施形態によって限定されることはない。
【符号の説明】
【００６８】
１００：カメラ、１０２：レンズ、１０４：第１撮像部、１０５：制御部、１１２：第２撮像部、２００：露出制御装置
【図１】
2015219286.tif 000017
【図２】
2015219286.tif 000018
【図３】
2015219286.tif 000019
【図４】
2015219286.tif 000020
【図５】
2015219286.tif 000021
【図６】
2015219286.tif 000022
【図７】
2015219286.tif 000023
【図８】
2015219286.tif 000024
【図９】
2015219286.tif 000025
【図１０】
2015219286.tif 000026